(57)【要約】      （修正有）【課題】多目的な地紋に向け、必要なドットの数が少なく、必要な複写禁止コードの数も少なく、また、複写禁止秘密書類に対して、非常に高い認識精度で、早い速度で判別でき、複写禁止以外不特定な書類に対して、誤認識しない方法を実現する。【解決手段】複写機にて多目的地紋によって複写された書類なのか原稿なのかを判断できるように、文字浮き上げ機能、複写禁止機能及び書類の追跡機能を融合することができる。また、文字浮き上げ機能と追跡機能を実現するための多目的地紋の隙間を巧みに利用でき、複写禁止コードを乗せ、ページ全体が文字の場合でも複写禁止情報を埋め込むことができる。それに加えて、この方法は精度が低い印刷にも適用でき、高速度で読み取れる優れた性質を兼ね備えている。【選択図】図９
2013243633.tif 000002
【特許請求の範囲】
【請求項１】
複写禁止機能を実行するために、複写禁止の情報を埋め込む方法であって、
（１）文字浮き上げ機能、追跡機能を備える多目的な印刷地紋に対し、視覚特性に基づいて、文字浮き上げ、または追跡機能を実現するための重複した図形の隙間に複写禁止コードを埋め込むことができる手段、
（２）基準点の数が複数であり、情報点と両側の基準点との間での相互距離の比例はコードの画像の拡大や縮小に関わらず、複写禁止コードを構成する手段、
（３）複写禁止情報を記述するドットパターンは、情報点が基準点に基づいて異なる位置、異なる距離、異なる方向、異なる比例、異なる位相変調の結果を含み、ひとつの形式によって複写禁止コードを構成する手段、
上述の中で、少なくでも一つの手段を備えることを特徴とする複写禁止の情報を埋め込む方法である。
【請求項２】
複写禁止機能を実行するために、複写禁止の情報を認識する方法の処理手順であって、
（１）複写の画像を読取るステップ、
（２）複写禁止コードを検出する、情報点が基準点に基づいて異なる位置、異なる距離、異なる方向、異なる比例、異なる位相変調の結果を含み、ひとつの形式によって構成する複写禁止コードの規則によって、複写禁止コードのコード値を識別するステップ、
（３）非複写禁止書類であるか、条件付き複写禁止書類であるか、或は複写禁止書類であるかを判断できるステップ、
（４）判断結果に基づいて、相応の処理をするステップ、
上述のそれぞれのステップを備えることを特徴とし、複写禁止の情報を認識する方法である。
【請求項３】
請求項１、２に記載の複写禁止コードにおいて、一次元複写禁止コード、または二次元複写禁止コードの形式を含め、一つの形式を備えることを特徴とする請求項１、２に記載の複写禁止機能の実行方法。
【請求項４】
請求項１、２に記載の複写禁止コードにおいて、複写禁止情報、非複写禁止情報、或は条件付き複写禁止情報が、それぞれ異なるコード値によって構成されていることを特徴とする請求項１、２に記載の複写禁止機能の実行方法。
【請求項５】
請求項１、２に記載の複写禁止機能において、複写禁止コードを埋め込まれた書類に対し、複写できない機能、どのメールボックスにも送信させない機能、ファックスさせない機能のうち少なくとも一つの機能を備えることを特徴とする請求項１、２に記載の複写禁止機能の実行方法。
【請求項６】
複写禁止機能が搭載された複合機（ＭＦＰ）であって、スキャナー、プリンター、或はマイクロプロセッサによって構成されている、
（１）スキャナーはマイクロプロセッサと接続し、相互方向のデータ交換と制御もできる部分、
（２）プリンターもマイクロプロセッサと接続し、相互方向のデータ交換と制御もできる部分、
（３）複写禁止機能を認識するプログラムがマイクロプロセッサに配置される部分、
（４）複写禁止機能が搭載された複合機（ＭＦＰ）がローカル・エリア・ネットワークによって、コンピュータと接続する部分、
（５）コンピュータとＵＳＢインターフェースを通じて、プリンター、或はスキャナーと接続する部分、
（６）複写禁止すべき書類に対して、コンピュータに搭載された複写禁止情報を埋め込むプログラムによって、該当書類に、複写禁止コードを埋め込んで、印刷し、複写禁止書類を作成する部分、或は複写禁止情報を埋め込むプログラムを複合機（ＭＦＰ）に搭載し、複写禁止したい書類を印刷する時に、複合機（ＭＦＰ）のマイクロプロセッサに搭載されたプログラムよって複写禁止コードを埋め込んで、複写禁止書類を作成する部分、上述の各部分を備えることを特徴とした複写禁止機能が搭載された複合機である。
【発明の詳細な説明】
【技術分野】
【０００１】  本発明は印刷画像に大量情報を埋め込む分野に関連し、複写機にて複写禁止機能を実現する方法と、複写禁止機能が搭載された複合機を提案する。
【背景技術】
【０００２】  情報科学の進歩によって、特にＯＡシステムを代表する複写機の普及で、企業情報及び個人情報の流失が重大な社会問題となっている。日本ネットワークセキュリティ協会の調査によると、２００５年には紙媒体からの情報流出は全体の流出経路の４９．９％を占める。この割合は年々増加傾向にあり、２０１０年には６９．４％にも昇る。【０００３】  ここに複写機での複写禁止機能を実現することが不可欠になった。【０００４】  複写機にて複写禁止機能を実現する技術について、日本で代表的な特許は複写機大手メーカーＸ社により提出された「データ作成方法及び画像形成装置」（特
2013243633.tif 000003
形成されているパターン画像に対して、パターンマッチングを行うことによって複合機の複写禁止機能を実現する方法を提案している。【０００５】  複写機にて複写禁止機能を実現する技術について、もう一つは他社複写機メーカーのＲ社が提出した「画像形成装置、画像形成方法及び画像形成プログラム」（特許２００６−３２５０２６）という特許である。この特許はいくつかのマトリックスで構成されたドットパターンを、パターンマチングする結果を用いて、複写できるかどうか判断する手法である。【０００６】  さらに別の方式で複写禁止機能を実現する技術は、複写機メーカーＳ社が提出した「画像処理装置、画像形成装置、決定方法、プログラム及びコンピュータで読み取れる記憶媒体」（特許２０１１−１８２１２６２）に記載されている。この特許は特定なカラー図形を複写禁止の特徴パターンとして、複写禁止を実現する。【０００７】  複写機にて複写禁止機能を実現するために、複写機メーカーＣ社が「複写禁止情報を検出できる装置、その制御方法及びプログラム」（特許２０１２−１０１８１）を提出した。この特許は、マトリックスのドットパターンを基準点に対して位置をずらすことで、情報を記録し、複写禁止コードとなる。【０００８】  上記の公表された特許技術は各々特徴をもち、実用的になっているが、各々別な欠点が存在する。例えば、Ｓ社の提出したカラー図形の方法は、特定なスペースを占めることだけではなく、不法に攻撃をされやすい。Ｒ社の提出した複数のマトリックスドットパターンを構成して、整体地紋を形成する方法は、同時に追跡機能を実現できず、複写機の情報セキュリティ機能を制限してしまう。【０００９】  Ｘ社が提出したドットパターン方法は広いスペースを占めて、特にマトリックスドットパターンの配列の形も単純でありため、不特定な複写画像に対して、誤認識しやすい。
【発明の概要】
【発明が解決しようとする課題】
【００１０】  上述のように極力少ないドットパターンを用いて、不特定な複写画像に対して、一定の割合で誤認識を発生させないような複写禁止機能を構成する方法を提出する必要がある。【００１１】  本発明の第１の目的は、文字浮き上げ機能、追跡機能などと融合できる多目的な地紋に適用する複写禁止コードを提案する。また、その提案する複写禁止コードは、ドットパターンとしたドット数がもっとも少なく、必要な複写禁止コードの数も少ない複写禁止方法を提案する。【００１２】  本発明の第２の目的は、文字浮き上げ機能、追跡機能などと融合するために、複写禁止コードが、地紋の隙間に合わせて配置すること、さらに、複写禁止すべき秘密書類に対して、非常に高い認識精度で、極力早い速度で判別をすることができ、複写禁止以外不特定な書類に対して、極力に誤認識しないような複写禁止コードの構成方法を提案する。
【課題を解決するための手段】
【００１３】  本発明が上記の問題を解決するために、下記のように提案する。
本発明の請求項１に係る複写禁止機能を実行するために、複写禁止の情報を埋め込む方法であって、
（１）文字浮き上げ機能、追跡機能を備える多目的な印刷地紋に対し、視覚特性に基づいて、文字浮き上げ、または追跡機能を実現するための重複した図形の隙間に複写禁止コードを埋め込むことができる手段、
（２）基準点の数が複数あることで、情報点と両側の基準点との間での相互距離の比例はコードの画像の拡大や縮小に関係せず、複写禁止コードを構成する手段、
（３）複写禁止情報を記述するドットパターンは、情報点が基準点に基づいて異なる位置、異なる距離、異なる方向、異なる比例、異なる位相変調の結果を含み、ひとつの形式によって複写禁止コードを構成する手段、
上述の中で、少なくとも一つの手段を備えることである。【００１４】  本発明の請求項２に係る複写禁止機能を実行するために、複写禁止の情報を認識する方法の処理手順は、
（１）複写の画像を読取るステップ、
（２）複写禁止コードを検出する、情報点が基準点に基づいて異なる位置、異なる距離、異なる方向、異なる比例、異なる位相変調の結果を含み、ひとつの形式によって構成する複写禁止コードの規則によって、複写禁止コードのコード値を識別するステップ、
（３）非複写禁止書類であるか、条件付け複写禁止書類であるか、或は複写禁止書類であるか判断できるステップ、
（４）判断結果に基づいて、相応の処理をするステッフ、
上述の各ステップを備えることである。【００１５】  また、複写禁止コードにおいて、一次元複写禁止コード、または二次元複写禁止コードの形式を含め、一つの形式を備えることである。【００１６】  このような構成とすることで、不特定な非複写禁止書類に対して、複写時に複写機に御認識される確率が一気に少なくなる効果がある。【００１７】また、複写禁止コードにおいて、複写禁止情報、非複写禁止情報、或は条件付き複写禁止情報が、それぞれ異なるコード値によって構成されていることである。【００１８】  このような構成とすることで、異なる複写禁止情報に対して、複写禁止情報の違いに応じて、別々なコードを与えると、複写される異なる書類にとって、判別しやすい利点がある。【００１９】  また、複写禁止機能において、複写禁止コードを埋め込まれた書類に対し、複写できない機能、どのメールボックスにも送信させない機能、ファックスを送信させない機能のうち少なくとも一つの機能を備えることである。【００２０】  このような構成とすることで、複写禁止機能の制御範囲が広くなる、秘密書類の流出経路をすべて考慮して、対策することが可能である。【００２１】  本発明の請求項６に係る複写禁止機能を搭載された複合機（ＭＦＰ）であって、スキャナー、プリンター、或はマイクロプロセッサーによって構成されている、
（１）スキャナーはマイクロプロセッサーと接続し、相互方向のデータ交換と制御ができる部分、
（２）プリンターはマイクロプロセッサーと接続し、相互方向のデータ交換と制御ができる部分、
（３）複写禁止機能を認識するプログラムがマイクロプロセッサーに配置される部分、
（４）複写禁止機能が搭載された複合機（ＭＦＰ）がローカル・エリア・ネットワークによって、コンピュータと接続する部分、
（５）コンピュータもＵＳＢインターフェースに通じて、プリンター、或はスキャナーと接続する部分、
（６）複写禁止すべき書類に対して、コンピュータに搭載された複写禁止情報を埋め込むプログラムによって、該当書類に、複写禁止コードを埋め込んで印刷し、複写禁止書類を作成する部分、或は複写禁止情報を埋め込むプログラムを複合機（ＭＦＰ）に搭載し、複写禁止したい書類を印刷する時に複合機（ＭＦＰ）のマイクロプロセッサーに搭載されたプログラムよって複写禁止コードを埋め込んで、複写禁止書類を作成する部分、
上述の各部分を備えることである。
【発明の効果】
【００２２】  本発明が多目的地紋に適用できる複写禁止情報を埋め込む方法を提出し、複写機にて多目的地紋によって複写された書類なのか原稿なのかを判断できる文字浮き上げ機能、複写禁止機能及び書類の追跡機能を融合することができる。【００２３】  また、文字浮き上げ機能と追跡機能を実現するための多目的地紋の隙間を巧みに利用でき、複写禁止コードを乗せ、ページ全体が文字の場合でも複写禁止情報を埋め込むことができる。それに加えて、この方法は精度が低い印刷にも適用し、高速度で読み取れる優れた性質を兼ね備えている。【００２４】  さらに、複写禁止コードを埋め込んだ書類に対して、正確に認識する確率は９５％以上に達成することができる。不特定な非複写禁止書類に対して、誤認識の確率は１／３００万以下に抑えることも可能である。
【発明を実施するための形態】
【００２５】  これから、図により、本発明に基づいて実施する例を詳しく説明する。この実施例が本発明を説明するのみで、本発明の請求範囲を制約するということではない。
【００２６】  図１が複写禁止機能を搭載された複合機（ＭＦＰ）の概念図である。図１が示すように複写禁止機能を搭載された複合機（ＭＦＰ）はスキャナー、プリンター、マイクロプロセッサからなっている。
スキャナーがマイクロプロセッサと接続し、相互二方向のデータ交換と制御することも可能である。
複写禁止プログラムがマイクロプロセッサに配置され、複写禁止機能が搭載された複合機（ＭＦＰ）がローカル・エリア・ネットワークによってコンピュータと接続される。
【００２７】  コンピュータもＵＳＢのようなインターフェースによって、スキャナーかプリンターと接続する。
複写禁止すべき書類に対して、コンピュータに搭載された複写禁止情報を埋め込むプログラムによって、該当書類に、複写禁止コードを埋め込んで、印刷し、複写禁止書類を作成することができる。
【００２８】  複写禁止情報を埋め込むプログラムを複合機（ＭＦＰ）に搭載し、複写禁止すべき書類を印刷する時に、複合機（ＭＦＰ）のマイクロプロセッサに搭載されたプログラムよって複写禁止コードを埋め込んで、複写禁止書類を作成することもできる。
【００２９】  複写禁止機能を実行するために、複写禁止の情報を埋め込む方法を下記のような手段とする。
（１）文字浮き上げ機能、追跡機能を備える多目的な印刷地紋に対して、複合機の複写精度が２００ｄｐｉしかないことで情報を埋め込んだ模様が見えてしまう問題を改善するために、視覚特性に基づいて、文字浮き上げ、または追跡機能を実現する地紋を一定図形とし、繰り替えして構成する。その重複した図形の隙間に複写禁止コードを埋め込むことができる手段。
（２）基準点の数が複数あることで、情報点が両側の基準点との間の相互距離の比例がコードの画像の拡大や縮小に関わらず、複写禁止コードを構成することができる手段。
（３）複写禁止情報を記述するドットパターンは、情報点が基準点に基づいて異なる位置、異なる距離、異なる方向、異なる比例、異なる位相変調の結果を含み、ひとつの形式によって複写禁止コードを構成する手段。
【００３０】  図２が複写禁止コードを示す図である。図２に示すように（２０１）が複写禁止コードで、（２０２）と（２０３）が複写禁止コードの基準点（基準ドットと称する）で、（２０４）が情報点（情報ドットをと称する）である。
【００３１】  情報点（２０４）が、両側の基準点（２０２または２０３）に基づいて、異なる位置、異なる距離、異なる方向、異なる比例、異なる位相変調の結果によって、複写禁止情報を記録する。
【００３２】  ２０５はブランク位置である。ここは複写禁止コード（ａ）のコード値を０とし、複写禁止コード（ｂ）のコード値を１とし、複写禁止コード（ｃ）のコード値を２とする。
【００３３】  複写機のプレビュー画像を用いて、複写禁止コードを認識できれば、コストを削減でき、複写スピードにもあまり響かないことを考えて、図２に示した複写禁止コードのブランク方格及び黒いドットのサイズを、複写機のプレビュー画像の精度を満たすサイズとする。図２のような複写禁止コードのドットの間隔が近ければ、一定密度を保つことにより、印刷画像から速く検出することができる。
【００３４】  複写禁止コードが書類の全体に対して、小さなスペースだけを占めるため、複写画像に影響しないという特徴がある。
【００３５】  図３はもうひとつの複写禁止コードを示す図である。図３に示すように、（３０１）が複写禁止コードで、（３０２）と（３０３）が複写禁止コードの基準点（基準ドットと称する）で、（３０４）が情報点（情報ドットと称する）である。
【００３６】  上述と同じのように、情報点（３０４）が、両側の基準点（３０２または３０３）に基づいて、異なる位置、異なる距離、異なる方向、異なる比例、異なる位相変調の結果によって、複写禁止情報を記録する。
【００３７】  ３０５がもう一つの情報点で、情報点（３０５）が、両側の基準点（３０２または３０３）に基づいて、異なる位置、異なる距離、異なる方向、異なる比例、異なる位相変調の結果によって、複写禁止情報を記録する。
【００３８】  ３０６はブランク位置である。ここは、複写禁止コード（ａ）のコード値を情報０とし、複写禁止コード（ｂ）のコード値を情報１とし、複写禁止コード（ｃ）のコード値を情報２とし、複写禁止コード（ｄ）のコード値を情報３とし、複写禁止コード（ｅ）のコード値を情報４とし、複写禁止コード（ｆ）のコード値を情報５とし、複写禁止コード（ｇ）のコード値を情報６とし、複写禁止コード（ｈ）のコード値を情報７とし、複写禁止コード（ｉ）のコード値を情報８とし、複写禁止コード（ｍ）のコード値を情報９とし、複写禁止コード（ｎ）のコード値を情報１０とし、複写禁止コード（ｏ）のコード値を情報１１とする。
【００３９】  図４は、画像の拡大や縮小が複写禁止コードに影響しないことを示す。図４に示すように（４０１）が複写禁止コードである。
（４０２）及び（４０３）が複写禁止コードの基準点である。（４０４）が情報点である。
【００４０】  ｄ１が情報点（４０４）から基準点（４０２）までの距離で、ｄ２が情報点（４０４）から基準点（４０３）までの距離である。（４０１）’が複写禁止コード（４０１）の拡大画像で、（４０２’）及び（４０３’）が複写禁止コード（４０１）の拡大画像の基準点で、（４０４’）が複写禁止コード（４０１）拡大画像の情報点で、Ｄ１が情報点（４０４’）から基準点（４０２’）までの距離で、Ｄ２が情報点（４０４’）から基準点（４０３’）までの距離である。
【００４１】  幾何学定理によって、ｄ１／ｄ２＝Ｄ１／Ｄ２であり、複写禁止コードの拡大や縮小がその情報点と基準点との比例には関係なく、情報点と基準点の比例が情報のコード値に関連する。
【００４２】  すなわち、図２か図３が示す複写禁止コードで複写禁止情報を埋め込んだ書類に対して、不法者が拡大や縮小操作で複写禁止コードを正常に認識させないことを防止する特徴がある。
【００４３】  図５が二次元の複写禁止コードを示す図である。
不特定な非複写禁止画像に対して、複写禁止コードの画像が非複写禁止画像のある部分の画像と似通っているため、複写されない場合がある。できるだけ、この現象が発生しないように図５が示すような複写禁止コードを提案する。図２の複写禁止コード（ａ）、すなわちコード０と、図３のもう一つの複写禁止コード（ｅ）、すなわちコード４とが合わせて構成された二次元の複写禁止コードを作成する。
【００４４】  図５の（５０１）を一番目の複写禁止コードとし、（５０２）を二番目の複写禁止コードとする。
【００４５】  二次元の複写禁止コードを用いて、複写禁止情報を記録する場合に、その非複写禁止書類の中で、複写禁止情報に御認識してしまう可能性がある画像や点線などを有する確率Ｐ１を０．０５とし、該当非複写禁止画像の中で、図２の複写禁止コード（ｃ）の情報点と基準マトリックスとの比例と一致する部分の画像や点線などが存在する確率Ｐ２を０．０５とし、該当非複写禁止画像の中で、図２の複写禁止コード（ｃ）の近傍に、もう一つの部分画像や点線などが存在する確率Ｐ３を０．５とし、その部分の画像や点線などの形は、図３の複写禁止コード（ｅ）の情報点（３０４）と基準点との距離の比例と一致する確率ｐ４を０．０５とし、図３の複写禁止コード（ｅ）の情報点（３０５）と基準点との距離の比例と一致する確率ｐ５を０．０５とすれば、条件確率理論によって、この非複写禁止画像が複写されない確率Ｐは次のようになる。
【公式１】
2013243633.tif 000004
【００４６】  公式１が図５を示す二次元の複写禁止コードで、非複写禁止画像が複写されない確率を０．０００００３１となることを説明する。
【００４７】  例えば、１台の複写機が一日１２０枚ずつの書類を複写とすると、１０年ほどで一枚の非複写禁止書類が複写されないということが発生しない。そのため全ページに対してのドットマトリックスは必要ではなく、７個のドットだけで、複写禁止書類に対して、９５％以上の認識率を達成させることができ、非複写禁止書類に対して、０．０５％以下の誤認識率（実際に上記のように１／３００万の誤認識率）を実現することも可能である。
【００４８】  図６がもう一つの二次元の複写禁止コードを示す図である。図６に示すように不特定の非複写禁止画像に対して、複写禁止コードの画像として認識してしまうことを防ぐために、二次元の複写禁止コードのドットマトリックスと異なる間隔で配列させる。
【００４９】  図２の複写禁止コード（ａ）、すなわちコード値０と、図３中のもうひとつの複写禁止コード（ｂ）、すなわちコード値１と組み合わせ、二次元の複写禁止コードを構成することができる。図６の（６０１）が一番目の複写禁止コードで、（６０２）が二番目の複写禁止コードである。
【００５０】  二次元の複写禁止コードを色々な形式によって構成することが考えられるので、上記の理論に基づいて構成した複写禁止コードに対して、すべてを本発明の範囲に属するものとする。
【００５１】  自動送信できる複写機に対してメールボックスのアドレスやファックスの番号などを書類の中に情報として埋め込みことで、複写機のメモリー上でその情報を読み取り、複写禁止コードを埋め込んだ秘密書類としては、複写させないだけではなく、どのメールボックスにも送信させず、どのファックスの番号にも送信させない仕組みをつくることができる。
【００５２】  図７は非複写禁止コードを示す図である。非複写禁止書類であることを素早く検出できるために、正常なステップを入れ、これで複写機のスピードを高めることができる。
【００５３】  図７に示すように、図２の情報コード（ｂ）、すなわちコード値１を非複写禁止コードとし、複写禁止機能を搭載された複写機が非複写禁止書類であることを素早く認識し、正常な複写ステップに入る。
【００５４】  図８は条件付き複写禁止コードを示す図である。条件付き複写禁止とは、合法利用者のユーザー名やパスワードなどを入力することで、複写禁止情報が埋め込まれた書類であっても複写できるようにすることを可能とする。
【００５５】  条件付き複写禁止コードは図２の複写禁止コード（ｃ）、すなわちコード値２、図３の複写禁止コード（ｂ）、すなわちコード値１か複写禁止コード（ｅ）、すなわちコード値４などで構成される。（８０１）が一番目の条件付き複写禁止コードで、（８０２）が二番目の条件付き複写禁止コードである。
【００５６】  図９が複写禁止機能の処理プロセスを示す。図９に示すように、まずＳ１にて複写したい画像の一部分を読み取る。Ｓ２にて一番目の複写禁止コードを検出し、複写禁止コードが検出されなければ、ステップＳ８に入る。そうでなければ、次のステップに進む。
【００５７】  Ｓ３にて、情報点と基準点との異なる位置、異なる距離、異なる方向、異なる比例、異なる位相変調の結果のうち一つの形式によって配列された複写禁止コードの規則で一番目の複写禁止コードのコード値を認識する。
【００５８】  図１０が複写禁止コードの配列図の例である。図１０に示すように多目的地紋とは、文字浮き上げ機能または、文字沈下機能とともに、機密書類の複写禁止機能及び、書類追跡機能を同時に構成することができる。
【００５９】  この地紋は、情報を埋め込んだ書類の背景である。上記で述べた図５、図６、図７及び図８に示した非複写禁止コードや複写禁止コードが長方形のため、文字浮き上げ機能のために繰り返し用いる図形の隙間に配列しやすいという利点がある。
【００６０】  図１１が四角形の複写禁止コードの概念図である。図１１に示すように（１１０１）が複写禁止コードで、（１１０２）及び（１１０３）が複写禁止コードの基準点（基準ドットと称する）で、（１１０４）、（１１０５），（１１０６）が情報点（情報ドットと称する）である。
【００６１】  情報点が異なる位置、異なる位相変調の結果に基づき配列をし、複写禁止情報を記録する。
【００６２】  ここは、複写禁止コード（ａ）のコード値を情報０とし、複写禁止コード（ｂ）のコード値を情報１とし、複写禁止コード（ｃ）のコード値を情報２とし、複写禁止コード（ｄ）のコード値を情報３とし、複写禁止コード（ｅ）のコード値を情報４とし、複写禁止コード（ｆ）のコード値を情報５とし、複写禁止コード（ｇ）のコード値を情報６とし、複写禁止コード（ｈ）のコード値を情報７とし、複写禁止コード（ｉ）のコード値を情報８とし、複写禁止コード（ｍ）のコード値を情報９とし、複写禁止コード（ｎ）のコード値を情報１０とし、複写禁止コード（ｏ）のコード値を情報１１とし、複写禁止コード（ｐ）のコード値を情報１２とする。
【００６３】  上記で述べたように図１１のそれぞれのコードで非複写禁止コード、条件付き複写禁止コード及び複写禁止コードを示すことができる。
【００６４】  続いて、Ｓ４にて、非複写禁止コードと判断すれば、Ｓ８に入る。そうでなければ、条件付き複写禁止であるか、一般的な無条件複写禁止であるかを判断する必要がある。
【００６５】  Ｓ５にて、情報点と基準点との異なる位置、異なる距離、異なる方向、異なる比例、異なる位相変調の結果のうち少なくとも一つの形式で配列された複写禁止コードの規則によって二番目の複写禁止コード値を検出する。
【００６６】  Ｓ６にて、複写禁止であるかどうかを判断する。複写禁止でない場合は、非複写禁止書類であることを特定し、Ｓ８に入る。そうでなければＳ４によって、条件付きの複写禁止コードであると判断すると、複写機の画面表示に基づいて、合法利用者のユーザー名やパスワードなどを入力してから、複写機が書類の地紋に埋め込まれた複写禁止条件のデータ、またはメモリーに書き込んだ複写禁止条件のデータによって、合法利用者であるかどうかを判断する。
【００６７】  合法利用者だと判明すると、複写操作を進行できる。そうでなければ、複写禁止で次の処理に入る。
【００６８】  Ｓ７にて複写禁止の処理を行い、Ｓ９の操作に入る。ここでの複写禁止とは複写禁止コードを埋め込まれた書類を複写できない機能、どのメールボックスにも送信されない機能、ファックスを送信されない機能のうち少なくとも一つの機能を備えているということである。
【００６９】  Ｓ８にて、複写したい画像を全部読み取ったかどうかを判断する。操作が完了でしないと、Ｓ１の操作に入り、続けて複写画像を読み取る。
【００７０】  Ｓ９にて、全部のプログラムが終了する。
【図面の簡単な説明】
【図１】複写禁止機能を搭載した複合機（ＭＦＰ）の概念図である。
【図２】複写禁止コードを示す図である。
【図３】もう一つの複写禁止コードを示す図である。
【図４】複写禁止コードが拡大、縮小の影響を受けないことの概念図である。
【図５】二次元の複写禁止コードを示す図である。
【図６】もうひとつの二次元の複写禁止コードを示す図である。
【図７】複写禁止ではない情報コードを示す図である。
【図８】条件付き複写禁止コードを示す図である。
【図９】複写禁止機能の処理プロセスを示す図である。
【図１０】複写禁止コードの配列図である。
【図１１】四角形の複写禁止情報コードの図である。
【符号の説明】２０１は、複写禁止情報を埋め込むコードである。
２０２は、複写禁止コードの基準マトリックスである。
２０３は、複写禁止コードの基準マトリックスである。
２０４は、情報マトリックスである。
２０５は、ブランク位置である。
３０１は、複写禁止情報を埋め込むコードである。
３０２は、複写禁止コードの基準マトリックスである。
３０３は、複写禁止コードの基準マトリックスである。
３０４は、情報マトリックスである。
３０５は、もう一つの情報マトリックスである。
３０６は、ブランク位置である。
４０１は、複写禁止情報を埋め込むコードである。
４０２は、複写禁止コードの基準マトリックスである。
４０３は、複写禁止コードの基準マトリックスである。
４０４は、情報基点である。
４０１‘は、複写禁止コード４０１の拡大図である。
４０２‘は、複写禁止コード４０１の拡大画像の基準マトリックスである。
４０３‘は、複写禁止コード４０１の拡大画像の基準マトリックスである。
４０４‘は、複写禁止コード４０１が拡大された画像の情報点である。
５０１は、一番目の複写禁止コードである。
５０２は、二番目の複写禁止コードである。
６０１は、一番目の複写禁止コードである。
６０２は、二番目の複写禁止コードである。
８０１は、一番目の複写禁止コードである。
８０２は、二番目の複写禁止コードである。
１１０１は、複写禁止情報を埋め込むコードである。
１１０２は、複写禁止コードの基準マトリックスである。
１１０３は、複写禁止コードの基準マトリックスである。
１１０４は、情報マトリックスである。
１１０５は、情報マトリックスである。
１１０６は、情報マトリックスである。
【図１】
2013243633.tif 000005
【図２】
2013243633.tif 000006
【図３】
2013243633.tif 000007
【図４】
2013243633.tif 000008
【図５】
2013243633.tif 000009
【図６】
2013243633.tif 000010
【図７】
2013243633.tif 000011
【図８】
2013243633.tif 000012
【図９】
2013243633.tif 000013
【図１０】
2013243633.tif 000014
【図１１】
2013243633.tif 000015